(57)【要約】【課題】  表面に所望の形状・模様を形成でき、衝撃吸収性が向上し、表面の破損を防止するプロテクターを提供することを目的とする。【解決手段】  射出成形された熱可塑性エラストマーから成る表皮１が、その表側に突出した複数の突隆部２を有すると共に、裏側に板状発泡体11を重ね合わせて設けている。かつ、突隆部２は、裏面側に内部空間15を有している。さらに、突隆部２の表面壁部14の裏面に、発泡体11と当接する複数のリブ部16を突設した。【選択図】  図10
2005028154.tif 000002
【特許請求の範囲】
【請求項１】
表皮（１）が射出成形された熱可塑性エラストマーから成ると共に、その表側に突出した複数の突隆部（２）を有し、かつ、未装着状態で、表皮（１）の裏面側が、身体に対応した凹曲面状に形成されたことを特徴とするプロテクター。
【請求項２】
射出成形された熱可塑性エラストマーから成る表皮（１）が、その表側に突出した複数の突隆部（２）を有すると共に、裏側に板状発泡体（11）を重ね合わせて設け、かつ、上記突隆部（２）は、裏面側に内部空間（15）を有し、突隆部（２）の表面壁部（14）の裏面に、上記発泡体（11）と当接する複数のリブ部（16）を突設したことを特徴とするプロテクター。
【請求項３】
射出成形された熱可塑性エラストマーから成る表皮（１）が、その表側に突出した複数の突隆部（２）を有すると共に、裏側に板状発泡体（11）を重ね合わせて設け、かつ、該突隆部（２）は、裏面側に内部空間（15）を有し、さらに、該内部空間（15）に、板バネ状又は皿バネ状のスプリング材から成る弾発部材（６）が、上記突隆部（２）の表面壁部（14）の裏面と上記板状発泡体（11）とに当接するように介装されていることを特徴とするプロテクター。
【請求項４】
射出成形された熱可塑性エラストマーから成る表皮（１）が、その表側に突出した複数の突隆部（２）を有すると共に、裏側に板状発泡体（11）と裏生地（10）を順次重ね合わせて設け、かつ、上記突隆部（２）は、裏面側に内部空間（15）を有し、さらに、上記突隆部（２）の周壁部（13）に放熱用孔部（８）が貫設され、上記板状発泡体（11）と裏生地（10）を貫通して、上記内部空間（15）へ連通する孔部を備えたことを特徴とするプロテクター。
【発明の詳細な説明】
【技術分野】
【０００１】
本発明は、プロテクターに関する。
【背景技術】
【０００２】
従来のプロテクターには、以下の３つの方法で製作されたプロテクターがあった。即ち、第１のプロテクターは、（ＰＥ、ＰＵ、ＥＶＡ等から成る）凹凸を有する発泡ブロック体を、（合成皮革等から成る）表生地と裏生地とで、サンドウィッチ状に挟んで縫製することにより、製作され、表面に凹凸形状が形成されていた。（例えば、下記特許文献１参照。）
【０００３】
第２のプロテクターは、（ＰＥ又はＰＵ等の）板状発泡体を表生地と裏生地とでサンドウィッチ状に挟んで、金型による（冷却又は加熱）圧縮成形にて、表面に凹凸形状が形成されるように製作されていた。
【０００４】
第３のプロテクターは、表生地のみを圧縮成形して凹凸形状を形成してから、その表生地と裏生地とで発泡体をサンドウィッチ状に挟んで縫製して、製作されていた。
【０００５】
【特許文献１】実公平７−37655 号公報
【発明の開示】
【発明が解決しようとする課題】
【０００６】
しかしながら、従来の（３つの）プロテクターでは、表面の形状、模様に希望する凹凸に限界があり、表面に複雑な形状、模様が形成できなかった。また、スピードボール、ファウルチップ等の衝撃に対して、発泡体の厚み等における衝撃吸収に限界があった。また、スライディングのブロック時にスパイクが引っ掛かって表面を破損する虞れがあった。
【０００７】
そこで、本発明は、表面に所望の形状・模様を形成でき、衝撃吸収性が向上し、表面の破損を防止するプロテクターを提供することを目的とする。
【課題を解決するための手段】
【０００８】
上述の目的を達成するために、本発明に係るプロテクターは、表皮が射出成形された熱可塑性エラストマーから成ると共に、その表側に突出した複数の突隆部を有し、かつ、未装着状態で、表皮の裏面側が、身体に対応した凹曲面状に形成された。
【０００９】
また、射出成形された熱可塑性エラストマーから成る表皮が、その表側に突出した複数の突隆部を有すると共に、裏側に板状発泡体を重ね合わせて設け、かつ、上記突隆部は、裏面側に内部空間を有し、突隆部の表面壁部の裏面に、上記発泡体と当接する複数のリブ部を突設した。
【００１０】
また、射出成形された熱可塑性エラストマーから成る表皮が、その表側に突出した複数の突隆部を有すると共に、裏側に板状発泡体を重ね合わせて設け、かつ、該突隆部は、裏面側に内部空間を有し、さらに、該内部空間に、板バネ状又は皿バネ状のスプリング材から成る弾発部材が、上記突隆部の表面壁部の裏面と上記板状発泡体とに当接するように介装されている。
【００１１】
また、射出成形された熱可塑性エラストマーから成る表皮が、その表側に突出した複数の突隆部を有すると共に、裏側に板状発泡体と裏生地を順次重ね合わせて設け、かつ、上記突隆部は、裏面側に内部空間を有し、さらに、上記突隆部の周壁部に放熱用孔部が貫設され、上記板状発泡体と裏生地を貫通して、上記内部空間へ連通する孔部を備えた。
【発明の効果】
【００１２】
本発明は、次のような著大な効果を奏する。
本発明に係るプロテクターによれば、表皮の設計の自由度が高くなり、所望の表面形状・模様を容易に形成できる。また、表皮の肉厚等を自由に変えることができ、衝撃吸収性（クッション性）が向上する。また、スライディングスパイクの引っ掛かり等による表皮の破損を防止することができる。さらに、突隆部により、ボール等に対する耐衝撃性が一層向上する。
【発明を実施するための最良の形態】
【００１３】
以下、実施の形態を示す図面に基づき、本発明を詳説する。
図１と図２と図５に、本発明に係るプロテクターの実施の一形態を示し、本プロテクターは、表皮１と、裏生地10と、表皮１と裏生地10との間にサンドウィッチ状に挟まれた（ＰＥ、ＰＵ等の）板状発泡体11と、からなり、表皮１と発泡体11と裏生地10とがミシン糸９にて一体状に縫製されている。なお、本プロテクターは、野球、ソフトボール、アイスホッケー、フットボールなどのスポーツの、審判用、選手用に使用され、（主に胸・腹の）上半身の表面側に被覆状に装着して使用される。
【００１４】
表皮１は、射出成形された熱可塑性エラストマー（ＴＰＥ）から成り、ＴＰＥとしては、例えば、ポリウレタン系、ポリエステル系、ポリエチレン系、ポリスチレン系などがある。
【００１５】
表皮１は、表側に突出した複数の突隆部２を有し、隣り合う突隆部２，２の間の溝底３に弯曲変形助長部４が形成されている。なお、表側とは、身体と反対側をいう。
【００１６】
突隆部２は、周壁部（側壁部）13と表面壁部14とを有し、裏面側に内部空間15を有する。溝底３は、隣り合う突隆部２，２の裏面側開口端縁を連設している。
【００１７】
図２に、左右方向に走る弯曲変形助長部４を示し、本プロテクターの略上半分における弯曲変形助長部４は、表側に凸状の小弯曲部（表突出小弯曲部４ａ）をもって構成されており、本プロテクターの略下半分における弯曲変形助長部４は、裏側に凸状の小弯曲部（裏突出小弯曲部４ｂ）をもって構成されている。
【００１８】
表突出小弯曲部４ａは、図３（イ）に示すように、表突出小弯曲部４ａが縮径する方向への表皮１の弯曲を容易とするように構成され、即ち、溝部が拡大する方向に、表皮１が表側に凸状に弯曲変形（弾性変形）自在となる。言い換えると、図３とは逆方向に溝部が縮小する方向に変形しようとすると、表突出小弯曲部４ａが周壁部13，13と干渉して、変形しにくい。
【００１９】
裏突出小弯曲部４ｂは、図３（ロ）に示すように、裏突出小弯曲部４ｂが縮径する方向への表皮１の弯曲を容易とするように構成され、即ち、溝部が縮小する方向に表皮１が裏側に凸状に弯曲変形（弾性変形）自在となる。
【００２０】
従って、本プロテクターは、全体として、図４（イ）に示すように、身体への未装着状態では、上下方向にストレート状であったとしても、図４（ロ）に示すように、身体への装着状態では、身体の弯曲形状に対応して、上部が表側に凸状に、かつ、下部が裏側に凸状に、容易に弯曲変形する。なお、図４では、溝底３の弯曲変形助長部４を省略して描いている。
【００２１】
また、図５に、上下方向に走る弯曲変形助長部４を示し、この弯曲変形助長部４は、表側に凸状の小弯曲部（表突出小弯曲部４ａ）をもって構成されており、表突出小弯曲部４ａは、図６に示すように、表突出小弯曲部４ａが縮径する方向への表皮１の弯曲を容易とするように構成され、即ち、溝部が拡大して、表皮１が表側に凸状に弯曲変形（弾性変形）自在となる。
【００２２】
従って、本プロテクターは、全体として、図７（イ）に示すように、身体への未装着状態では、左右方向にストレート状であったとしても、図７（ロ）に示すように、身体への装着状態では、身体の弯曲形状に対応して、表側に凸状に容易に弯曲変形する。なお、図７では、溝底３の弯曲変形助長部４を省略して描いている。
【００２３】
なお、弯曲変形助長部４の形状は、断面三角山形状の小突部であってもよく、また、複数の小弯曲部が波形に連設された形状であってもよく、表皮１を曲がりやすくする形状であれば如何なる形状でもよい。
【００２４】
図２と図５と図８に示すように、弯曲変形助長部４（表突出小弯曲部４ａ、裏突出小弯曲部４ｂ）の両側に、弯曲変形助長部４に干渉しないように、裏生地10に縫製する２条のミシン糸９，９が配設されている。
【００２５】
図８に示すように、溝底３の十字交差部５では、ミシン糸９を避けるように弯曲変形助長部４が部分的に省略されている。ここで、十字交差部５とは、上下溝と左右溝とが十字に交差する部位をいい、部分的に省略とは、ミシン糸９の上下方向及び左右方向の走行に干渉しないように、省略されていることをいう。なお、十字交差部５の、ミシン糸９で囲まれている部位に、円形の変形助長部４ｃが配設されているが、この変形助長部４ｃを省略するも自由である。
【００２６】
ここで、上述した突隆部２・溝底３・弯曲変形助長部４は、射出成形にて、一体に形成される。また、図９に示すように、突隆部２の表面壁部14を、予め、弯曲面状、又は、凹凸模様面、若しくは、勾配面として、成形してもよく、例えば、突隆部２の厚みを、突隆部２の部位によって、大きい厚みＴ1 、中位の厚みＴ2 、小さい厚みＴ3 のように変化させたり、突隆部２に溝12を設けたり、突隆部２の表面を、突隆部２の厚みが下方へ次第に減少するように、勾配面としてもよい。さらに、図９に示すように、表皮１の裏面側を、予め、身体に対応した凹曲面状として、成形してもよい。また、図示省略するが、表皮１の表面を、予め、革皺模様として、成形してもよい。要するに、射出成形用金型に、上記形状・模様を形成しておくことで、表皮１に上記形状・模様を形成することができる。
【００２７】
なお、表皮１の突隆部２の形状は、上述の実施の形態に限定されず、図10（イ）に示すように、突隆部２の表面壁部14を傾斜状として、ボールなどの衝撃を正面に受けないようにしてもよい。また、図10（ロ）に示すように、突隆部２の内部空間15でかつ表面壁部14の裏面に、発泡体11と当接する複数のリブ部16を設けて、衝撃に強くなるようにしてもよい。さらに、図２に示すように、突隆部２の内部空間15の空気層だけでは、突隆部２のクッション性が柔らかくなり、図10（ロ）に示すように、突隆部２の内部空間15のリブ部16により、突隆部２のクッション性が固くなる。
【００２８】
また、図10（ハ）に示すように、突隆部２の内部空間15に（ＰＥ、ＰＵ、ＥＶＡ等の）発泡ブロック体17を介装してもよく、また、図10（ニ）に示すように、突隆部２の内部空間15に弾発部材６を介装してもよく、また、図10（ホ）に示すように、突隆部２の内部空間15に、発泡ブロック体17及び弾発部材６を介装してもよく、衝撃性の自由度が増加する。なお、弾発部材６は、例えば、射出成形されたＴＰＥからなり、板バネや皿バネ状等のスプリング材をもって構成する。
【００２９】
さらに、図示省略するが、突隆部２の内部空間15に、リブ部16と発泡ブロック体17を内蔵するようにしてもよく、また、突隆部２の表面壁部14の肉厚を、耐衝撃性を高めるために、増大させてもよい。
【００３０】
次に、図11（イ）に示すように、本プロテクターのショルダー部Ｓに配設された突隆部２に凹状弯曲形状のマスク干渉逃げ用切欠部７を形成している。もちろん、この切欠部７は、射出成形にて形成され、また、その突隆部２の強度面や耐衝撃面は、突隆部２の肉厚寸法等の調整により問題はない。なお、切欠部７の形状は、図11（ロ）に示すように、傾斜面状としてもよい。従って、最近では、マスク及びマスク下部が大きくなると共にスロートガードを装着する傾向にあるが、プレー中に頭部を左右に振った場合でも、左右のショルダー部Ｓ，Ｓの突隆部２にマスク（又はスロートガード）が当接することがない。
【００３１】
次に、図12（イ）に示すように、突隆部２の周壁部13の左右側壁に放熱用孔部８を貫設してもよい。もちろん、この周壁部13は、射出成形にて形成され、図12（ロ）に示すような上下側壁の位置に設けてもよい。また、ＴＰＥにて形成されているため、強度面や耐衝撃面では問題はない。
【００３２】
そして、図13に示すように、突隆部２の内部空間15に対向する裏生地10及び発泡体11の部位に、通気管18が挿通状にミシン糸19にて取り付けられ、身体から発する熱が、矢印Ｋに示すように、本プロテクターの裏面側から、通気管18の孔部、突隆部２の内部空間15、突隆部２の孔部８を通って、本プロテクターの表側へ放出される。
【００３３】
なお、図１にて示したプロテクターの表側一面は、一枚の表皮１にて成形されている場合を示したが、これを、図14に示すように、表皮１を分割構造としてもよい。即ち、本プロテクターの表皮１を、複数部位に分割し、複数の分割表皮片１ａを作製し、図15に示すように、隣り合う分割表皮片１ａ，１ａを、夫々の弯曲変形助長部４，４を重ね合わせて、２条のミシン糸９，９にて縫製する。即ち、完成品として見た場合、突隆部２，２間の溝底３に於て、隣り合う分割表皮片１ａ，１ａを重ね合わせて、かつ、裏生地10と発泡体11と共に縫製にて連結されている。しかも、各分割表皮片１ａの色彩（カラー）を２色〜６色の異なるものに着色するのが望ましい。
【００３４】
図16は、他の実施の形態を示す。表皮１のうち補強必要部分22が射出成形された熱可塑性エラストマーから成り、表皮１が表側に突出した複数の突隆部２を有する。補強必要部分22は、鎖骨部23から成る。言い換えると、表皮１を分割構造として、その分割された一区画部、又は、複数の区画部のみを、上記熱可塑性エラストマーとする。
【００３５】
図17は、別の実施の形態を示す。表皮１のうち補強必要部分22が射出成形された熱可塑性エラストマーから成り、表皮１が表側に突出した複数の突隆部２を有する。補強必要部分22は、鳩尾部24から成る。言い換えると、表皮１を分割構造として、その分割された一区画部のみを、上記熱可塑性エラストマーとする。
【００３６】
図18は、さらに別の実施の形態を示す。表皮１のうち補強必要部分22が射出成形された熱可塑性エラストマーから成り、表皮１が表側に突出した複数の突隆部２を有する。補強必要部分22は、鎖骨部23及び鳩尾部24から成る。言い換えると、表皮１を分割構造として、その分割された一区画部、又は、複数の区画部のみを、上記熱可塑性エラストマーとする。
【００３７】
なお、図16〜図18に於て、補強必要部分22を実線で示した。それ以外の２点鎖線の部分は、従来の構造である。
【００３８】
以上のように、本発明であるプロテクターは、表皮１が射出成形された熱可塑性エラストマーから成ると共に、その表側に突出した複数の突隆部２を有し、かつ、未装着状態で、表皮１の裏面側が、身体に対応した凹曲面状に形成されたので、表皮１の設計の自由度が高くなり、所望の表面形状・模様を容易に形成できる。また、表皮１の肉厚等を自由に変えることができ、衝撃吸収性（クッション性）が向上する。また、スライディングスパイクの引っ掛かり等による表皮１の破損を防止することができる。さらに、突隆部２により、ボールなどに対する耐衝撃性が一層向上する。また、身体にフィット感のある表皮１を容易にかつ確実に成形できる。
【００３９】
また、射出成形された熱可塑性エラストマーから成る表皮１が、その表側に突出した複数の突隆部２を有すると共に、裏側に板状発泡体11を重ね合わせて設け、かつ、突隆部２は、裏面側に内部空間15を有し、突隆部２の表面壁部14の裏面に、発泡体11と当接する複数のリブ部16を突設したので、表皮１の設計の自由度が高くなり、所望の表面形状・模様を容易に形成できる。また、表皮１の肉厚等を自由に変えることができ、衝撃吸収性（クッション性）が向上する。また、スライディングスパイクの引っ掛かり等による表皮１の破損を防止することができる。また、突隆部２により、ボールなどに対する耐衝撃性を有し、さらに、複数のリブ部16を有することで、突隆部２は一層耐衝撃性に優れたものとなる。
【００４０】
また、射出成形された熱可塑性エラストマーから成る表皮１が、その表側に突出した複数の突隆部２を有すると共に、裏側に板状発泡体11を重ね合わせて設け、かつ、突隆部２は、裏面側に内部空間15を有し、さらに、内部空間15に、板バネ状又は皿バネ状のスプリング材から成る弾発部材６が、突隆部２の表面壁部14の裏面と板状発泡体11とに当接するように介装されているので、表皮１の設計の自由度が高くなり、所望の表面形状・模様を容易に形成できる。また、表皮１の肉厚等を自由に変えることができ、衝撃吸収性（クッション性）が向上する。また、スライディングスパイクの引っ掛かり等による表皮１の破損を防止することができる。さらに、突隆部２により、ボールなどに対する耐衝撃性が一層向上する。また、耐衝撃性の向上が図れ、弾発力と強度の設計の自由度が増加する。即ち、弾発部材６により、ボール反発力を減殺し、落下ボールの転がりを少なくする。
【００４１】
また、射出成形された熱可塑性エラストマーから成る表皮１が、その表側に突出した複数の突隆部２を有すると共に、裏側に板状発泡体11と裏生地10を順次重ね合わせて設け、かつ、突隆部２は、裏面側に内部空間15を有し、さらに、突隆部２の周壁部13に放熱用孔部８が貫設され、板状発泡体11と裏生地10を貫通して、内部空間15へ連通する孔部を備えたので、表皮１の設計の自由度が高くなり、所望の表面形状・模様を容易に形成できる。また、表皮１の肉厚等を自由に変えることができ、衝撃吸収性（クッション性）が向上する。また、スライディングスパイクの引っ掛かり等による表皮１の破損を防止することができる。さらに、突隆部２により、ボールなどに対する耐衝撃性が一層向上する。また、身体の熱を外部へ放出することができ、特に、夏場等の炎天下のプレー時の体温上昇を防止することができる。
【図面の簡単な説明】
【００４２】
【図１】本発明の実施の一形態を示す正面図である。
【図２】図１のＡ−Ａ断面図である。
【図３】要部作用説明図である。
【図４】全体作用説明図である。
【図５】図１のＢ−Ｂ断面図である。
【図６】要部作用説明図である。
【図７】全体作用説明図である。
【図８】要部拡大正面図である。
【図９】表皮の他の実施の形態を示す斜視図である。
【図１０】別の実施の形態を示す要部断面説明図である。
【図１１】ショルダー部の突隆部を示す斜視説明図である。
【図１２】突隆部の他の実施の形態を示す斜視説明図である。
【図１３】要部断面図である。
【図１４】さらに他の実施の形態を示す簡略正面図である。
【図１５】図14のＣ−Ｃ断面図である。
【図１６】他の実施の形態を示す簡略正面図である。
【図１７】別の実施の形態を示す簡略正面図である。
【図１８】さらに別の実施の形態を示す簡略正面図である。
【符号の説明】
【００４３】
１  表皮
２  突隆部
６  弾発部材
８  孔部
10  裏生地
11  発泡体
13  周壁部
14  表面壁部
15  内部空間
16  リブ部
【図１】
2005028154.tif 000003
【図２】
2005028154.tif 000004
【図３】
2005028154.tif 000005
【図４】
2005028154.tif 000006
【図５】
2005028154.tif 000007
【図６】
2005028154.tif 000008
【図７】
2005028154.tif 000009
【図８】
2005028154.tif 000010
【図９】
2005028154.tif 000011
【図１０】
2005028154.tif 000012
【図１１】
2005028154.tif 000013
【図１２】
2005028154.tif 000014
【図１３】
2005028154.tif 000015
【図１４】
2005028154.tif 000016
【図１５】
2005028154.tif 000017
【図１６】
2005028154.tif 000018
【図１７】
2005028154.tif 000019
【図１８】
2005028154.tif 000020